(57)【特許請求の範囲】
【請求項１】
給紙ローラに巻回したロール紙に印刷を行なって排紙する様に成された紙送り装置に於いて、
第１の支持部材に回動自在に枢着され、前記給紙ローラに圧接されたカール矯正ローラと、
前記第１の支持部材の支点と異なる支点に配された第２の支持部材に回動自在に枢着され、前記カール矯正ローラによって排紙される前記ロール紙を該カール矯正ローラとの間で挟着する案内ローラと、
を具備し、
前記第１及び第２の支持部材を支点位置で回動自在と成し、前記給紙ローラに巻回したロール紙の巻径が小さくなるにしたがって前記カール矯正ローラへの巻付角が大きくなる様な押圧力を前記案内ローラに付与し、前記給紙ローラに巻回した前記ロール紙の巻径が小さいほど前記カール矯正ローラへの巻付角が大きくなるように成したことを特徴とする紙送り装置。
【請求項２】
前記カール矯正用ローラの直径は前記給紙ローラの直径より小さく、前記案内ローラの直径はカール矯正ローラの直径より大きく選択して、該カール矯正ローラへの前記ロール紙の巻付角が小さい時は略１８０度となし、大きい時は略２７０度と成したことを特徴とする請求項１記載の紙送り装置。
【発明の詳細な説明】
【０００１】
【発明の属する技術分野】
本発明はファクシミリ等の排紙等に用いて好適な紙送り装置に関する。
【０００２】
【従来の技術】
従来から、プリンタ、ファクシミリ等では記録用の記録紙として給紙ローラにロール紙を巻回し、記録後にロール紙をカットして排紙する様な紙送り装置が広く用いられている。
【０００３】
図５は従来のファクシミリ等の排紙部の略線的構成図を示すものであり、給紙ローラ２にはロール紙３が巻回され、このロール紙３はステッピングモータ４等で回転駆動され、圧胴５及びカッタ６を介してファクシミリ１の筐体に設けた排紙口７から排紙トレー８上に所定寸法に裁断されて排紙される。ロール紙３上には圧胴５上に配された記録ヘッド９によって記録が成される。尚、１０は復号器で復号しライメモリ等へ格納した記録データが入力される記録回路である。
【０００４】
上述の様なファクシミリの紙送り装置によると排紙トレー８上に所定寸法に裁断されて排紙された裁断後のロール紙１１は図６に示す様にロール紙３が給紙ローラ２に巻回されていた時の巻回方向にカールされる為、多くの場合記録面がカールされた内側になって記録面を読むためには平らにしなければならず大変見にくくなる問題があった。
【０００５】
【発明が解決しようとする課題】
上述の様な従来の問題点を無くすためには、例えば図７に示す様に排紙口７近傍にカール状態を逆方向に矯正するため矯正ローラ１２にロール紙３を略半周程囲繞させ、案内ローラ１３によってロール紙３を挟着させることで給紙ローラ２に巻回した際に生ずるロール紙３のカールぐせ方向を逆方向に矯正ローラ１２で矯正する様に成すことが考えられる。
【０００６】
然し、この様な構成ではカール方向を逆にするための矯正ローラ１２の半径、即ち、巻付角が一定であるため、給紙ローラ２に巻回されているロール紙３の巻径が大きい最初では矯正が強すぎて逆方向にカールされた形状で裁断後のロール紙１１が排紙トレー８上に排紙される。又、給紙ローラ２に巻回されているロール紙３の巻径が小さくなってくる最終段階では矯正が足りなくなることが起きる。
【０００７】
本発明は叙上の問題点を解消した紙送り装置を提供しようとするもので、その課題とするところは給紙ローラ２に巻回されたロール紙３の巻径が変化しても最初から最後まで常に真直ぐで平らなロール紙を排出可能な紙送り装置を得ようとするものである。
【０００８】
【課題を解決するための手段】
本発明の紙送り装置は、その例が図１に示されている様に、給紙ローラに巻回したロール紙に印刷を行なって排紙する様に成された紙送り装置に於いて、第１の支持部材に回動自在に枢着され、給紙ローラに圧接されたカール矯正ローラと、第１の支持部材の支点と異なる支点に配された第２の支持部材に回動自在に枢着され、カール矯正ローラによって排紙されるロール紙をカール矯正ローラとの間で挟着する案内ローラと、を具備し、第１及び第２の支持部材を支点位置で回動自在と成し、給紙ローラに巻回したロール紙の巻径が小さくなるにしたがってカール矯正ローラへの巻付角が大きくなる様な押圧力を案内ローラに付与し、給紙ローラに巻回したローラ紙の巻径が小さいほどカール矯正ローラへの巻付角が大きく成るようにしたものである。
【０００９】
本発明の紙送り装置によれば、給紙ローラ２に巻回されたロール紙３の巻径の変化に対応して、排紙部近傍に設けた、ロール紙３の給紙ローラへの巻付角が小さいほどカールを矯正可能な矯正ローラ１２の巻付角を大きく成るようにしたので、矯正後のロール紙（以下裁断紙と記す）１８をカールすることなく排紙することが出来る
【００１０】
【発明の実施の形態】
以下、本発明の紙送り装置として、ファクシミリについて、図１乃至図４を用いて説明する。図１は本発明の一実施例を示す構成図、図２は本発明の要部の構成斜視図、図３及び図４は本発明のロール紙の巻径の大きい時と小さい時の動作説明図である。
【００１１】
先ず、図１によってファクシミリの紙送り装置を説明する。図１は溶熱転写式ラインプリンタの略線的紙送り機構を示すものでロール紙を用い記録にはインクリボン２７を用いた例を示し、以下、従来構成との対応部分には同一符号を付して説明する。
【００１２】
即ち、ロール紙の巻回径に応じて矯正ローラのロール紙の巻付角を変化させ、給紙ローラ２のロール紙３の巻径が小さくなるにしたがって矯正ロール１２への巻付角を大きくしたのでのロール紙を逆カールするような弊害がなくなり、常に真直ぐで平らな裁断紙１８を排紙することが可能となる。
【００１３】
給紙ローラ２にはロール紙３が巻回され、ステッピングモータ４で駆動制御される。給紙ローラ２から繰り出されたロール紙３は圧胴５を囲繞して、カール矯正用の矯正ローラ１２を少なくとも略１８０度に亘って巻付けた後に案内ローラ１３と矯正ローラ１２間を通って、カッタ６を介して排出口７から排紙トレー８上に裁断紙１８が排出される。
【００１４】
矯正ローラ１２は図２に示す様にコ字状に形成した第１の支持部材（アーム）１５の一端に橋絡する様に配設したローラ軸に矯正ローラ１２を回動自在に枢着し、アームの支点１７に挿通した軸をシャーシ（図示せず）に回動自在に軸支させ、給紙ローラ２に巻回したロール紙３の最外周に圧接されている。
【００１５】
案内ローラ１３は同じく図２に示す様にコ字状に形成した第２の支持部材（アーム）１４の一端に橋絡する様に配設したローラ軸に案内ローラ１３を回動自在に枢着し、アームの支点１６に挿通した軸をシャーシ（図示せず）に回動自在に軸支させ、矯正ローラ１２の外周に給紙ローラ３を介して圧接する様に成されている。
【００１６】
一方、圧胴５部分でロール紙３とインクリボン２７は互いに接し、記録ヘッド９によってロール紙３上に熱転写される。インクリボン搬送機構は通常ロール状に保持されているのでインクリボン供給リール１９から案内ローラ２３→記録ヘッド９→案内ローラ２４→インクリボン搬送ローラ２５，２６を介してインクリボン巻取リール２０に巻回される。２１及び２２は夫々供給及び巻取リール１９及び２０の駆動用モータを示す。
【００１７】
上述の構成に於ける本例の動作を図３及び図４で説明する。
図３は給紙ローラ２に巻回されているロール紙３が充分に巻かれた初期の状態であり、大なる巻径を有している。この状態ではカール矯正用の矯正リール１２に巻付けられ、且つ案内ローラ１３で矯正ローラ１２に押圧されているロール紙３は巻付角が矯正ローラの略半周を囲繞する様な約１８０度の巻付角となされている。
【００１８】
この場合、矯正ローラ１２及び案内ローラ１３は第１及び第２のアーム１５及び１４の支点１７及び１６を介して回動自在と成されているため、給紙ローラ２に巻回されているロール紙３が使用されて巻径が小さくなるに従って矯正ローラ１２はロール紙３の外周に接しながら、又、案内ローラ１３は矯正ローラ１２の外周に接しながら矢印Ｄで示す様な下方向の押圧力が働く様に成されている。
【００１９】
図４は給紙ローラ２に巻回されたロール紙３が巻き終りに近い状態になった場合を示し、案内ローラ１３は矯正ローラ１２の巻付角１８０度位置から徐々に巻付角度が増加して約２７０度の巻付角位置に持ち来される。
【００２０】
従って、給紙ローラ２に大径で巻付けられている時に生ずるカールを矯正するための補正量と小径で巻付けられている時に生ずるカールを矯正するための補正量を変化させながら徐々に強くすることが出来る。
【００２１】
即ち、ロール紙の巻回径に応じて矯正ローラのロール紙の巻付角を変化させ、巻付角の大小に応じて矯正力に強弱を付けて常に真直ぐで平らな裁断紙１８を排紙することが可能となる。
【００２２】
尚、上述の構成で矯正ローラ１２はロール紙３の最小巻回径より小さく選択し、案内ローラ１３の直径は矯正ローラ１２より大に選択することが出来る。
【００２３】
又、上述の実施例ではファクシミリについて説明したが、これに限定されず一般のプリンタ、複写機等のロール紙を用いた紙送り装置の排紙機構に本例を適用し得ることは明らかである。更に、インクリボン２７を用いない熱転写型のロール紙を用いてリボン送り機構を省略し得る。
【００２４】
【発明の効果】
本発明のファクシミリ等の紙送り装置によれば、給紙ローラに巻回されたロール紙の巻径に応じてロール紙のカール度合を変化させ、給紙ローラのロール紙の巻径が小さくなるにしたがって矯正ロール１２への巻付角を大きくしたのでのロール紙を逆カールするような弊害がなくなり、ロール紙の巻始め、巻終りのどの部分に於いても平らでカールのない裁断紙を排紙することが出来る。
【図面の簡単な説明】
【図１】  本発明の紙送り装置の一実施例を示す構成図である。
【図２】  本発明の紙送り装置の要部構成斜視図である。
【図３】  本発明のロール紙初期の動作説明図である。
【図４】  本発明のロール紙巻終り近くの動作説明図である。
【図５】  従来のファクシミリ装置の排紙部の略線的構成図である。
【図６】  カール状態に成った裁断紙の斜視図である。
【図７】  従来のカール矯正説明図である。
【符号の説明】
１  ファクシミリ、２  給紙ローラ、３  ロール紙、７  排出口、８  排紙トレー、１２  カール矯正ローラ、１３  案内ローラ。
【図１】
0003791048.tif 000002
【図２】
0003791048.tif 000003
【図３】
0003791048.tif 000004
【図４】
0003791048.tif 000005
【図５】
0003791048.tif 000006
【図６】
0003791048.tif 000007
【図７】
0003791048.tif 000008